(57)【特許請求の範囲】
【請求項１】
ガイド穴（３４）を与えられた手術用テンプレート（３２）と組み合わせた歯科用ドリルビット（１０）であって、ガイド穴（３４）が、歯科用ドリルビットを直接、又はガイド穴中に与えられたガイドスリーブを介して案内するように適合されており、歯科用ドリルビットが、第一端（１２）、第二端（１４）、第一端に配置された球形ドリルヘッド（１６）、及び球形ドリルヘッドから第二端の方に延びる少なくとも一つの螺旋形溝（２６）を含み、少なくとも一つの螺旋形溝を有する歯科用ドリルビットの部分（２４）が、歯科用ドリルビット（１０）をガイド穴（３４）によって直接、又はガイド穴（３４）に与えられたガイドスリーブを介して案内するために実質的に円筒形であり、球形ドリルヘッドの最大直径（Ｄ１）が、少なくとも一つの螺旋形溝を有する歯科用ドリルビットの部分（２４）の直径（Ｄ２）と等しいか又は実質的に等しく、歯科用ドリルビット（１０）が、第一端及び第二端を通って延びる長手方向軸（２０）をさらに含み、長手方向軸が、球形ドリルヘッドが１８０°より大きい扇形角度（θ）を有する扇形を規定する平面にあることを特徴とする歯科用ドリルビット。
【請求項２】
球形ドリルヘッドが、複数の切削刃（１８）を含むことを特徴とする、請求項１に記載の歯科用ドリルビット。
【請求項３】
球形ドリルヘッドが、半径方向から中央に集中されていることを特徴とする、請求項１又は２に記載の歯科用ドリルビット。
【請求項４】
第二端の歯科用ドリルビットの部分（２２）が、穿孔機への取り付けのために適合されていることを特徴とする、請求項１〜３のいずれかに記載の歯科用ドリルビット。
【請求項５】
少なくとも一つの螺旋形溝が、３〜２０°の範囲のピッチを有することを特徴とする、請求項１〜４のいずれかに記載の歯科用ドリルビット。
【請求項６】
少なくとも一つの螺旋形溝が、二つのからみ合った螺旋形溝（２６ａ，２６ｂ）からなることを特徴とする、請求項１〜５のいずれかに記載の歯科用ドリルビット。
【発明の詳細な説明】
【技術分野】
【０００１】
本発明は、歯科用ドリルビットに関する。本発明はまた、かかる歯科用ドリルビットの使用に関する。本発明はまた、患者の顎骨の傾斜した骨表面に穴を穿孔する方法に関する。
【背景技術】
【０００２】
患者の顎骨に穴を穿孔するための公知のドリルビットは、螺旋形溝を有する円筒形軸の先端に切削点を含む。切削点は、点角度を規定する二つの真直ぐな切削刃を有する。かかるドリルは、案内された歯科手術において使用されることができる（「案内されたねじれドリル（Ｇｕｉｄｅｄ  Ｔｗｉｓｔ  Ｄｒｉｌｌ）」）。しかし、かかるドリルビットは、ドリルビットの長手方向軸に対して強く傾斜している物体又は表面に穴を穿孔するためには好適でない。
【０００３】
公知の歯科用ドリルビットの別の例は、Ｎｏｂｅｌ  Ｂｉｏｃａｒｅによって提供される「案内ドリル（Ｇｕｉｄｅ  Ｄｒｉｌｌ）」である。「案内ドリル（Ｇｕｉｄｅ  Ｄｒｉｌｌ）」は、球形ドリルヘッドを含む。「案内ドリル（Ｇｕｉｄｅ  Ｄｒｉｌｌ）」は、フリーハンド手術のために使用されることができる。
【発明の概要】
【０００４】
本発明は、添付の独立請求項に規定される。実施態様は、添付の従属請求項に規定される。
【０００５】
本発明の一つの側面によれば、ガイド穴を与えられた手術用テンプレートと組み合わせた歯科用ドリルビットであって、ガイド穴が、歯科用ドリルビットを直接、又はガイド穴中に与えられたガイドスリーブを介して案内するように適合されており、歯科用ドリルビットが、第一端、第二端、第一端に配置された球形ドリルヘッド、及び球形ドリルヘッドから第二端の方に延びる少なくとも一つの螺旋形溝（ｆｌｕｔｅ）を含む歯科用ドリルビットが提供される。少なくとも一つの螺旋形溝を有する歯科用ドリルビットの部分は、実質的に円筒形であることができ、手術用テンプレートのガイド穴／ガイドスリーブに適合する。
【０００６】
球形ドリルヘッドは、複数の切削刃（１８）を含むことができる。
【０００７】
球形ドリルヘッドは、半径方向から中央に集中される（ｃｅｎｔｒａｌｉｚｅｄ）ことができる。
【０００８】
歯科用ドリルビットは、第一端及び第二端を通って延びる長手方向軸をさらに含むことができ、長手方向軸は、球形ドリルヘッドが１８０°に等しいか又は１８０°より大きい扇形角度を有する扇形を規定する平面にある。
【０００９】
第二端の歯科用ドリルビットの部分は、穿孔機への取り付けのために適合されていることができる。
【００１０】
少なくとも一つの螺旋形溝は、３〜２０°の範囲のピッチを有することができる。
【００１１】
少なくとも一つの螺旋形溝は、二つのからみ合った螺旋形溝からなることができる。
【００１２】
球形ドリルヘッドの最大直径は、少なくとも一つの螺旋形溝を有する歯科用ドリルビットの部分の直径と等しいか又は実質的に等しいことができる。
【００１３】
本発明の別の側面は、案内された手術のための、特に歯科用ドリルビットの長手方向軸に対して傾斜した物体又は表面に穴を穿孔するための、上に規定される歯科用ドリルビットの使用に関する。
【００１４】
本発明のさらに別の側面によれば、患者の顎骨の傾斜した骨表面に穴を穿孔する方法であって、ガイド穴を有する手術用テンプレートを、顎骨の傾斜した骨表面の上に、前記表面が、ガイド穴の長手方向軸に対して傾斜するように配置すること、上に規定される歯科用ドリルビットを、ガイド穴を通して挿入すること、及び歯科用ドリルビットを使用して、傾斜した表面に穴を穿孔すること、ただし、歯科用ビットは、ガイド穴によって、又はガイド穴中に与えられたガイドスリーブによって案内される、を含むことを特徴とする方法が提供される。この側面は、前に規定された側面と同一又は類似の技術的効果及び特徴を示すことができ、逆もまたそうである。
【図面の簡単な説明】
【００１５】
本発明のこれらの及び他の側面は、本発明の現在の好ましい実施態様を示す添付図面を参照して、さらに詳述されるだろう。
【００１６】
【図１−３】図１は、本発明の実施態様による歯科用ドリルビットの側面図である。図２は、図１の歯科用ドリルビットの正面図である。図３は、図１の歯科用ドリルビットのドリルヘッドの模式的側面図である。
【００１７】
【図４】図４は、図１のドリルビットの透視図である。
【００１８】
【図５ａ−５ｂ】図５ａ−５ｂは、案内された手術を使用して、傾斜した表面に穴を穿孔するための、図１〜４のドリルビットを示す側面図である。
【発明を実施するための形態】
【００１９】
図１〜４は、本発明の実施態様による歯科用ドリルビット１０を示す。歯科用ドリルビット１０は、実質的に真直ぐである。歯科用ドリルビット１０は、第一端１２、及び対向する第二端１４を含む。歯科用ドリルビット１０は、第一端１２に一つの球形ドリルヘッド１６をさらに含む。球形ドリルヘッド１６の形状（半径）は、完全に均一であってもよいが、代替的に、球形ドリルヘッド１６の半径ｒは、±１０％異なっていてもよい。球形ドリルヘッド１６は、複数の切削刃１８を含む。好ましくは、切削刃１８の数は、５〜８個の範囲である。また、好ましくは、切削刃１８は、湾曲している。切削刃１８を有する球形ドリルヘッド１６は、「側方切削（ｓｉｄｅ  ｃｕｔｔｉｎｇ）」であり、これは、このドリルビット１０が、傾斜した表面に穴を穿孔するために使用されることができるということを意味する。また、球形ドリルヘッド１６は、半径方向から中央に集中されており、これは、歯科用ドリルビット１０の第一端１２及び第二端１４を通って延びる（中央）長手方向軸２０と球形ドリルヘッド１６が同軸であることを意味する。また、前記長手方向軸２０が存在する平面（例えば、図３の平面）において見て、球形ドリルヘッド１６は、好ましくは１８０°に等しいか又は１８０°より大きい扇形角度θを有する扇形を規定する。扇形角度θは、例えば約１８０°〜２２０°の範囲にあることができる。球形ドリルヘッド１６は、Ｎｏｂｅｌ  Ｂｉｏｃａｒｅによって提供される「案内ドリル（Ｇｕｉｄｅ  Ｄｒｉｌｌ）」の球形ドリルヘッドと実質的に同じタイプのものであることができる。
【００２０】
球形ドリルヘッド１６に対向する歯科用ドリルビット１０の第二端１４には、穿孔機（図示せず）への取り付けのために適合されている端部分２２がある。端部分２２は、例えば完全に円筒形であってもよいし、又は他の何らかの種類の穿孔機界面を含んでいてもよい。
【００２１】
球形ドリルヘッド１６と端部分２２の間に、歯科用ドリルビット１０は、中間部分２４を含む。換言すれば、中間部分２４は、球形ドリルヘッド１６から端部分２２まで延びる。中間部分２４は、その長さの全体に沿って一般的に円筒形であることができ、示された実施態様におけるように、一定の（最大）直径Ｄ２を有することができる。中間部分２４は、少なくとも一つの螺旋形溝２６を与えられている。少なくとも一つの螺旋形溝２６は、球形ドリルヘッド１６から、歯科用ドリルビット１０の第二端１４に向かって、端部分２２まで延びる。少なくとも一つの螺旋形溝２６は、チップの通過、及び（例えば冷却のための）切削流体の進入を可能にすることができる。また、少なくとも一つの螺旋形溝２６は、長手方向軸２０に対して、３°〜２０°の範囲の比較的低いピッチ（螺旋角度）αを有することができる。好ましくは、螺旋形溝の数は、第一溝２６ａ及び第二溝２６ｂを示す図示された実施態様におけるように、二つである。溝２６ａ及び２６ｂは、「からみ合っている（ｅｎｔｗｉｎｅｄ）」。即ち、それらは、長手方向軸２０の対向する側に配置されており、それらは、長手方向軸２０に沿って実質的に同じ広がりを有する。
【００２２】
好ましくは、球形ドリルヘッド１６の最大直径Ｄ１は、中間部分２４の直径Ｄ２と等しいか又は実質的に等しい。これは、穿孔された穴と中間部分２４の間にタイトな間隔を作り出して、骨チップが溝２６を通ってドリル穴から外へ「ポンピングされる（ｐｕｍｐｅｄ）」ことを確実にするためである。直径Ｄ１及びＤ２は、例えば１．５〜６．０ｍｍの範囲であることができる。また、中間部分２４は、わずかにテーパを付けられていてもよい（図示せず）。この場合、球形ドリルヘッド１６のすぐ隣りの中間部分２４の直径は、Ｄ１に等しく、その後、中間部分２４の直径は、端部分２２に向かって増大する。
【００２３】
本発明の歯科用ドリルビット１０は、案内された手術などの様々な歯科用途において使用されることができる。しかし、ドリルビット１０は、非歯科用途においても使用されることができる。
【００２４】
患者の顎骨の傾斜した骨表面３０に穴２８を穿孔する例示的な方法（図５ａ−５ｂ参照）では、ガイド穴３４を有する手術用テンプレート３２を、骨表面３０の上に、前記表面が、ガイド穴３４の長手方向軸３６に対して傾斜するように配置する。次に、歯科用ドリルビット１０がガイド穴３４を通して挿入され、穴３４は、ガイド穴３４によって、又はガイド穴３４中に与えられたガイドスリーブ（図示せず）によって案内される歯科用ドリルビット１０を使用して穿孔される。球形ドリルヘッド１６の側方切削能力のため、ドリルビット１０は、傾斜した骨表面３０に適切に係合し、傾斜した骨表面３０上で横方向に「スライド（ｓｌｉｄｅ）」しないだろう。かかる横方向のスライドは、手術用テンプレート３２の転位を生じさせることがあり得、その結果、穴が適切に穿孔されない（例えば、計画された角度から偏位する角度を有する）ことを生じ得る。穿孔の結果生じる骨残余は、螺旋形溝２６によって外へと輸送されることができる。
【００２５】
当業者は、本発明は上述の好ましい実施態様に限定されないことを理解するだろう。対照的に、多くの改変及び変更が、添付の特許請求の範囲内で可能である。
【図１−３】
0006338596.tif 000002
【図４】
0006338596.tif 000003
【図５ａ−５ｂ】
0006338596.tif 000004